(57)【要約】【課題】背景を印刷しない場合でも、元々の文書が意図していたデザインを保持しつつ、インクやトナーの節約、印刷速度の向上、にじみ防止、乾燥性の向上、用紙うねりの防止などが可能な文書処理装置を提供することを目的とする。【解決手段】文字、図形、画像などからなる文書を印刷する文書処理装置において、印刷モード選択手段１００により、背景を印刷する第１の印刷モードが選択された場合には、文書で指定された背景の色と文字あるいは図形の色を用いて印刷処理を行い、背景を印刷しない第２の印刷モードが選択された場合には、文書で指定された背景の色と文字あるいは図形の色との間のコントラストを検出するコントラスト検出手段１０１により得られたコントラストの強さが、印刷用紙と印刷された文字あるいは図形の少なくとも一方との間でも保たれるよう、文字あるいは図形の少なくとも一方の色を補正する色補正手段１０２を備える。【選択図】図１
2005092317.tif 000002
【特許請求の範囲】
【請求項１】
背景と文字、図形、画像などからなる文書を印刷する文書処理装置において、前記文書で指定された背景の色と文字あるいは図形の色との間のコントラストを検出するコントラスト検出手段と、背景を印刷する第１の印刷モードおよび背景を印刷しない第２の印刷モードのいずれかを選択する印刷モード選択手段と、色を補正する色補正手段とを備え、前記印刷モード選択手段により前記第１の印刷モードが選択された場合には、前記文書で指定された背景の色と文字あるいは図形の色を用いて印刷処理を行い、前記印刷モード選択手段により前記第２の印刷モードが選択された場合には、前記コントラスト検出手段により得られたコントラストの強さが、印刷用紙と印刷された文字あるいは図形の少なくとも一方との間でも保たれるよう、前記色補正手段により文字あるいは図形の少なくとも一方の色を補正することを特徴とする文書処理装置。
【請求項２】
前記コントラスト検出手段は、文書で指定された背景の色と文字あるいは図形の色のそれぞれの明暗の差を検出することを特徴とする請求項１記載の文書処理装置。
【請求項３】
前記コントラスト検出手段は、文書で指定された背景の色と文字あるいは図形の色のそれぞれのＲＧＢ成分の差を検出することを特徴とする請求項１記載の文書処理装置。
【請求項４】
前記色補正手段は、白レベルと文字あるいは図形の色との間のコントラストの強さが一定値以下にならないよう、文字あるいは図形の少なくとも一方の色の補正を行なうことを特徴とする請求項１記載の文書処理装置。
【請求項５】
前記色補正手段は、文書はリンク情報を含めることができる文書であり、リンク先を示す文字に対しては補正を行なわないことを特徴とする請求項１から４のいずれかの項に記載の文書処理装置。
【発明の詳細な説明】
【技術分野】
【０００１】
本発明は、文書を印刷可能な文書処理装置に関する。
【背景技術】
【０００２】
近年、印刷データの多様化、印刷装置の高性能化により、印刷文書として様々な形態が考えられるようになってきた。その中でも、インターネットの普及によりホームページの印刷需要が高まっている。
【０００３】
ホームページは従来のテキスト主体の文書と比較して、画像の添付や文字や背景への豊富な色使いなどデザイン性の高い文書と言える。また、これらの文書をそのデザインを生かしつつ印刷するための印刷装置としてはカラープリンタが適している。
【０００４】
しかし、ホームページのデザインをそのまま、特に背景を印刷することは、インクやトナーの消費を増大させたり、全体の印刷速度を低下させるなどの問題があるのも事実である。さらに液体インクを使用するインクジェットプリンタなどでは、用紙の吸水能力を超えてしまい、にじみ、乾燥性の悪化、用紙のうねりなどの問題を発生する場合もある。そのため、使用者は必要に応じて背景を印刷するかどうかを選択している。また、これまで提案された先行技術においても、例えば（特許文献１）では背景を取り除く旨の記述があるが、その目的及び手段は明記されていない。
【特許文献１】特開２０００−３３０９０８号公報（第２頁）
【発明の開示】
【発明が解決しようとする課題】
【０００５】
このように従来は、背景を印刷しないことで、インクやトナーの節約、印刷速度の向上、にじみ防止、乾燥性の向上、用紙のうねり防止などが可能であった。
【０００６】
しかし、単に背景を印刷しないだけでは、文書作成者の意図と反する印刷結果になる場合も多い。例えば、図１０（ａ）に示すような背景が黒のホームページデザインはよく見られるが、この場合に背景を削除するだけだと、（ｂ）のように元々白色だった文字に対してはなにも印刷されないことになってしまう。このような場合、一般的なブラウザの印刷機能では、文字を白から他の色（例えば黒）に置き換えて、文字を印刷できるようにしている。このとき、（ｃ）のように元々の文字の濃淡を無視して全て黒にしてしまうブラウザもあれば、（ｄ）のように一定濃度以下の文字についてのみ印刷濃度を高く補正しているブラウザもある。しかし、いずれの結果においても、元々のホームページの記述の（ａ）の意図とは異なってしまっていることは明らかである。すなわち文書作成者は通常、強調したい文字に対して背景とコントラストの高い色を指定するものであり、（ａ）において強調したい文字は「Ａ」ではなく「Ｅ」であるのに対し、（ｂ）、（ｄ）では「Ａ」が強調され「Ｅ」が見えないもしくは目立たなくなり、（ｃ）では全ての文字が強調されてしまっている。
【０００７】
本発明では、背景を印刷しない場合でも、元々の文書が意図していたデザインを保持しつつ、インクやトナーの節約、印刷速度の向上、にじみ防止、乾燥性の向上、用紙うねりの防止などが可能な文書処理装置を提供することを目的としている。
【課題を解決するための手段】
【０００８】
上記課題を解決するため、本発明の文書処理装置では、背景と文字、図形、画像などからなる文書を印刷可能な文書処理装置において、文書で指定された背景の色と文字あるい
は図形の色との間のコントラストを検出するコントラスト検出手段と、背景を印刷する第１の印刷モードと、背景を印刷しない第２の印刷モードと、第１の印刷モードと第２の印刷モードのいずれかを選択可能な印刷モード選択手段と、色を補正する色補正手段とを備え、印刷モード選択手段により第１の印刷モードが選択された場合には、文書で指定された背景の色と文字あるいは図形の色を用いて印刷処理を行い、印刷モード選択手段により第２の印刷モードが選択された場合には、コントラスト検出手段により得られたコントラストの強さが、印刷用紙と印刷された文字あるいは図形の少なくとも一方との間でも保たれるよう、前記色補正手段により文字あるいは図形の少なくとも一方の色を補正することを特徴とする。
【０００９】
上記の構成により、背景を印刷しない場合でも、元々の文書が意図していたデザインを保持しつつ、インクやトナーの節約、印刷速度の向上、にじみ防止、乾燥性の向上、用紙うねりの防止などが可能な文書処理装置を実現することができる。
【発明の効果】
【００１０】
以上のように、本発明では、文書で指定された背景の色とオブジェクトの色との間のコントラストを検出し、背景を印刷しない場合でもコントラストの強さが保たれるよう、オブジェクトの色を補正することで、元々の文書が意図していたデザインを維持しつつ、インクやトナーの節約、印刷速度の向上、にじみ防止、乾燥性の向上、用紙うねりの防止などが可能な文書処理装置を実現することができる。
【００１１】
また、背景を印刷しない場合にオブジェクトを色補正した結果、極端に薄くなってしまう場合には、印刷濃度を高めに補正することで可読性を向上させることが可能な文書処理装置を実現することができる。
【００１２】
また、背景を印刷しない場合でも、リンク先を示す文字に対しては例外的に色補正を行なわないことで、文字の色が持つ意味合いを保存することが可能な文書処理装置を実現することができる。
【発明を実施するための最良の形態】
【００１３】
本発明の請求項１記載の発明は、背景と文字、図形、画像などからなる文書を印刷可能な文書処理装置において、文書で指定された背景の色と文字あるいは図形の色との間のコントラストを検出するコントラスト検出手段と、背景を印刷する第１の印刷モードと、背景を印刷しない第２の印刷モードと、第１の印刷モードと第２の印刷モードのいずれかを選択可能な印刷モード選択手段と、色を補正する色補正手段とを備え、印刷モード選択手段により第１の印刷モードが選択された場合には、文書で指定された背景の色と文字あるいは図形の色を用いて印刷処理を行い、印刷モード選択手段により第２の印刷モードが選択された場合には、コントラスト検出手段により得られたコントラストの強さが、印刷用紙と印刷された文字あるいは図形の少なくとも一方との間でも保たれるよう、前記色補正手段により文字あるいは図形の少なくとも一方の色を補正することを特徴とし、背景を印刷しない場合でも、元々の文書が意図していたデザインを保持しつつ、インクやトナーの節約、印刷速度の向上、にじみ防止、乾燥性の向上、用紙うねりの防止などが可能な文書処理方法及び文書処理装置を実現することができる。
【００１４】
請求項２記載の発明は、前記コントラスト検出手段は、文書で指定された背景の色と文字あるいは図形の色のそれぞれの明暗の差を検出することを特徴とする請求項１記載の文書処理装置としたものであり、背景を印刷しない場合でも、元々の文書が意図していたデザインを保持しつつ、インクやトナーの節約、印刷速度の向上、にじみ防止、乾燥性の向上、用紙うねりの防止などが可能な文書処理方法及び文書処理装置を実現することができる。
【００１５】
請求項３記載の発明は、前記コントラスト検出手段は、文書で指定された背景の色と文字あるいは図形の色のＲＧＢ値の間の差を検出することを特徴とする請求項１記載の文書処理装置としたものであり、背景を印刷しない場合でも、元々の文書が意図していたデザインを保持しつつ、インクやトナーの節約、印刷速度の向上、にじみ防止、乾燥性の向上、用紙うねりの防止などが可能な文書処理方法及び文書処理装置を実現することができる。
【００１６】
請求項４記載の発明は、色補正手段として、白レベルと文字あるいは図形との間のコントラストの強さが一定値以下にならないよう、文字あるいは図形の少なくとも一方の色情報の補正を行なうことにより、背景を印刷しない場合でも、元々の文書が意図していたデザインを保持しつつ、極端に印刷濃度が低い文字の濃度を補正することで可読性を向上させることができる。
【００１７】
請求項５記載の発明は、文書はリンク情報を含めることができる文書であり、リンク先を示す文字に対しては補正を行なわないことにより、ホームページなどで特に指定しない限り予約色を割り当てられるリンク先を示す文字については、補正の対象外として元々の色のまま印刷することでリンクであることを明示することができる。
【００１８】
（実施の形態１）
以下、本発明の実施の形態１について説明する。
【００１９】
図１に本発明の実施の形態における文書処理装置のブロック図を示す。
【００２０】
図１で、１００は背景を印刷するかしないかを選択する印刷モード選択手段、１０１は背景の色情報と文字あるいは図形（以降オブジェクトと呼ぶ）の色情報との間のコントラストを検出するコントラスト検出手段、１０２はコントラスト検出手段１０１の出力よりオブジェクトの色を補正する色補正手段、１０３は背景を印刷データとしてメモリ上へ展開する背景ラスタライズ手段、１０４はオブジェクトを印刷データとしてメモリ上へ展開するオブジェクトラスタライズ手段である。
【００２１】
印刷モード選択手段１００により背景印刷を行なうよう選択された場合は、背景ラスタライズ部１０３は文書中に記述された背景色情報をそのままラスタライズし、オブジェクトラスタライズ部１０４は文書中に記述されたオブジェクト色情報をそのままラスタライズする。また、背景印刷を行なわないよう選択された場合は、背景ラスタライズ部１０３は処理を実行せず、オブジェクトラスタライズ部１０４はオブジェクトの色情報として色補正手段１０２から出力された色情報をラスタライズする。
【００２２】
図２に、本発明の実施の形態における動作フローチャートを示す。まず、印刷モード選択手段１００により背景を印刷するモードかどうか判定する（ＳＴＥＰ２００）。もし、印刷モード選択手段１００により背景を印刷するモードと判断されれば、背景ラスタライズ部１０３により背景を記述色でラスタライズし（ＳＴＥＰ２０１）、オブジェクトラスタライズ部１０４によりオブジェクトを記述色でラスタライズする（ＳＴＥＰ２０２）。
【００２３】
印刷モード選択手段１００により背景を印刷しないモードと判断されれば、コントラスト検出手段により文書で記述された背景色とオブジェクト色との間のコントラストを検出し（ＳＴＥＰ２０３）、色補正手段１０２によりコントラスト情報に基づきオブジェクト色を補正し（ＳＴＥＰ２０４）、オブジェクトラスタライズ部１０４によりオブジェクトを補正色でラスタライズする（ＳＴＥＰ２０５）。
【００２４】
このようにすることで、背景色を印刷しないモードでも、文書に記述されていたのと同様のコントラストの強さで、用紙とのコントラストが得られるので、文書の作成者の意図通りに文字の強弱を表現することが可能である。
【００２５】
（実施の形態２）
図３に本発明の実施の形態における文書処理装置のブロック図を示す。
【００２６】
図３で３００は背景を印刷するかしないかを選択する印刷モード選択手段、３０１は文書中に記述された背景のＲＧＢ値（Ｒ０，Ｇ０，Ｂ０）から輝度値Ｙ０を検出する背景色輝度検出手段、３０２は文書中に記述されたオブジェクトのＲＧＢ値（Ｒ１，Ｇ１，Ｂ１）から輝度、色度値（Ｙ１，Ｃｂ１，Ｃｒ１）へ変換するＲＧＢ−ＹＣｂＣｒ色変換手段、３０３は背景色輝度検出手段３０１の出力Ｙ０とＲＧＢ−ＹＣｂＣｒ色変換手段３０２の出力の輝度成分Ｙ１との差の絶対値ΔＹを求める輝度差検出手段、３０４は輝度差検出手段３０３の出力ΔＹをもとにオブジェクトの輝度値を白地に対してΔＹだけ異なる輝度値Ｙ１’に補正する輝度補正手段、３０５は輝度補正手段３０４の出力Ｙ１’及びＲＧＢ−ＹＣｂＣｒ色変換手段３０２の出力の色度成分Ｃｂ１，Ｃｒ１からＲＧＢ値（Ｒ１’，Ｇ１’，Ｂ１’）へ変換するためのＹＣｂＣｒ−ＲＧＢ色変換手段、３０６は背景を印刷データとしてメモリ上へ展開する背景ラスタライズ手段、３０７はオブジェクトを印刷データとしてメモリ上へ展開するオブジェクトラスタライズ手段である。
【００２７】
印刷モード選択手段３００により背景印刷を行なうよう選択された場合、背景ラスタライズ部３０６は文書中に記述された背景色（Ｒ０，Ｇ０，Ｂ０）をそのままラスタライズし、オブジェクトラスタライズ部３０７は文書中に記述されたオブジェクト色（Ｒ１，Ｇ１，Ｂ１）をそのままラスタライズする。
【００２８】
また、背景印刷を行なわないよう選択された場合は、背景ラスタライズ部３０６はラスタライズ処理を実行せず、オブジェクトラスタライズ部３０７はオブジェクトの色情報としてＹＣｂＣｒ−ＲＧＢ色変換手段３０５から出力された色情報（Ｒ１’，Ｇ１’，Ｂ１’）をラスタライズする。
【００２９】
図４に本発明の実施の形態における動作フローチャートを示す。
【００３０】
まず、印刷モード選択手段３００により背景を印刷するモードかどうか判定する（ＳＴＥＰ４００）。もし、印刷モード選択手段３００により背景を印刷するモードと判断されれば、背景ラスタライズ部３０６により背景を記述色でラスタライズし（ＳＴＥＰ４０１）、オブジェクトラスタライズ手段３０７によりオブジェクトを記述色でラスタライズする（ＳＴＥＰ４０２）。
【００３１】
印刷モード選択手段３００により背景を印刷しないモードと判断されれば、背景色輝度検出手段３０１により文書で記述された背景色より輝度成分Ｙ０を求め（ＳＴＥＰ４０３）、ＲＧＢ−ＹＣｂＣｒ色変換手段３０２によりオブジェクト色をＲＧＢ−ＹＣｂＣｒ変換し（Ｙ１，Ｃｂ１，Ｃｒ１）を求める（ＳＴＥＰ４０４）。
【００３２】
次に、輝度差検出手段３０３により、それぞれの輝度成分Ｙ０とＹ１の差ΔＹをコントラスト情報として計算する（ＳＴＥＰ４０５）。
【００３３】
輝度補正手段３０４により、背景を印刷しないので用紙の白地とΔＹだけの輝度差となるＹ１’を計算する（ＳＴＥＰ４０６）。
【００３４】
ＳＴＥＰ４０６で求めたＹ１’とＳＴＥＰ４０４で求めたＣｂ１、Ｃｒ１からＹＣｂＣ
ｒ−ＲＧＢ変換手段３０５によりＹＣｂＣｒ−ＲＧＢ変換を行い（Ｒ１’，Ｇ１’，Ｂ１’）を求める（ＳＴＥＰ４０７）。
【００３５】
オブジェクトラスタライズ手段３０７により、オブジェクトを補正色（Ｒ１’，Ｇ１’，Ｂ１’）でラスタライズする（ＳＴＥＰ４０８）。
【００３６】
このようにすることで、背景色を印刷しないモードでも、文書に記述されていたのと同様のコントラストの強さで、用紙とのコントラストが得られるので、文書の作成者の意図通りに文字の強弱を表現することが可能である。
【００３７】
ここで、ＲＧＢからＹＣｂＣｒへの変換は次の変換式で知られている。
【００３８】
Ｙ＝０．２９９×Ｒ＋０．５８７×Ｇ＋０．１１４×Ｂ
Ｃｂ＝−０．１６９×Ｒ−０．３３１×Ｇ＋０．５００×Ｂ
Ｃｒ＝０．５００×Ｒ−０．４１９×Ｇ−０．０８１×Ｂ
ＹＣｂＣｒからＲＧＢへの変換は上式を変形して、
Ｒ＝Ｙ＋１．４０２×Ｃｒ
Ｇ＝Ｙ−０．３４４×Ｃｂ−０．７１４×Ｃｒ
Ｂ＝Ｙ＋１．７７２×Ｃｂ
である。ただしＲＧＢを一般的な８ｂｉｔのデジタル信号として、
０≦Ｒ，Ｇ，Ｂ≦２５５
である。
【００３９】
例として、背景、オブジェクトがともに無彩色の場合を説明する。背景が黒でオブジェクトを黒から白へ変化させるとする。背景の色を（Ｒ０，Ｇ０，Ｂ０）＝（０，０，０）とすると、背景の輝度値Ｙ０はＹ０＝０である。
【００４０】
オブジェクトの輝度値をＹ１、ΔＹを、背景を印刷するモードの背景とオブジェクト間のコントラストとすると、
ΔＹ＝｜Ｙ０−Ｙ１｜
である。Ｙ１’を背景を印刷しないモードでも用紙とオブジェクト間のコントラストが保たれるようにするために補正されたオブジェクトの輝度値とすると、一般に用紙は白、すなわち輝度値２５５なので、
Ｙ１’＝２５５−ΔＹ
となる。このＹ１’とＣｂ１、Ｃｒ１を用いＹＣｂＣｒ−ＲＧＢ色変換を行い（Ｒ１’，Ｇ１’，Ｂ１’）を得る。このとき０≦Ｒ１’，Ｇ１’，Ｂ１’≦２５５となった値は０または２５５にクリッピングする。
【００４１】
検証のため、（Ｒ１’，Ｇ１’，Ｂ１’）を、ＲＧＢ−ＹＣｂＣｒ変換し（Ｙ１’’，Ｃｂ１’，Ｃｒ１’）を求め、白地との輝度差ΔＹ’を以下の式で求める。
【００４２】
ΔＹ’＝２５５−Ｙ１”
以上の計算結果を図１１に示す。
【００４３】
次に、背景とオブジェクトが有彩色で同系統の色の場合の例であり、背景を青、オブジェクトを青色系統の濃淡とした図を図１２に示す。例として背景を青（Ｒ，Ｇ，Ｂ）＝（０，０，２５５）、オブジェクトを青系統の濃淡とする。この場合の背景の輝度値はＹ０＝２９．２である。
【００４４】
同様に背景とオブジェクトが有彩色の場合で系統が異なる場合の例であり、背景を青、
オブジェクトを赤系統の濃淡とした図を図１３に示す。例として背景を青（Ｒ，Ｇ，Ｂ）＝（０，０，２５５）、オブジェクトを赤系統の濃淡とする。この場合の背景の輝度値はＹ０＝２９．２である。
【００４５】
図１１から背景及びオブジェクトが無彩色の場合、背景を印刷したときのコントラストΔＹと、背景を印刷しないときのコントラストΔＹ’が一致していることがわかる。また、図１２及び図１３より、有彩色の場合でも背景を印刷した場合のコントラストΔＹと、背景を印刷しない場合のコントラストΔＹ’増減の傾向が同じで、（Ｒ１，Ｇ１，Ｂ１）と（Ｒ１’，Ｇ１’，Ｂ１’）は色の系統も同じであることがわかる。
【００４６】
このように本発明の実施の形態２に係る文書処理装置の特色は、背景を印刷しない場合でも色の系統を保ったままコントラストの補正が可能なことである。また元々輝度が高かったオブジェクトは、黒成分が増えることで白地に対するコントラストが高くなるという特徴がある。
【００４７】
（実施の形態３）
図５に本発明の実施の形態における文書処理装置のブロック図を示す。
【００４８】
図５で５００は背景を印刷するかしないかを選択する印刷モード選択手段、５０１は文書中に記述された背景のＲＧＢ値（Ｒ０，Ｇ０，Ｂ０）と文書中に記述されたオブジェクトのＲＧＢ値（Ｒ１，Ｇ１，Ｂ１）の差（ΔＲ，ΔＧ，ΔＢ）を求めるＲＧＢ差検出手段、５０２はＲＧＢ差検出手段５０１の出力（ΔＲ，ΔＧ，ΔＢ）をもとにオブジェクトのＲＧＢ値を白地に対してΔＲ、ΔＧ、ΔＢだけ異なるＲＧＢ値（Ｒ１’，Ｇ１’，Ｂ１’）に補正する色補正手段、５０３は背景を印刷データとしてメモリ上へ展開する背景ラスタライズ手段、５０４はオブジェクトを印刷データとしてメモリ上へ展開するオブジェクトラスタライズ手段である。
【００４９】
印刷モード選択手段５００により背景印刷を行なうよう選択された場合、背景ラスタライズ部５０３は文書中に記述された背景色（Ｒ０，Ｇ０，Ｂ０）をそのままラスタライズし、オブジェクトラスタライズ手段５０４は文書中に記述されたオブジェクト色（Ｒ１，Ｇ１，Ｂ１）をそのままラスタライズする。また、背景印刷を行なわな      いよう選択された場合は、背景ラスタライズ部５０３は処理を実行せず、オブジェクトラスタライズ手段５０４はオブジェクトの色情報として色補正手段５０２から出力された色情報（Ｒ１’，Ｇ１’，Ｂ１’）をラスタライズする。
【００５０】
図６に本発明の実施の形態における動作フローチャートを示す。
【００５１】
まず、印刷モード選択手段５００により背景を印刷するモードかどうか判定する（ＳＴＥＰ６００）。もし、印刷モード選択手段５００により背景を印刷するモードと判断されれば、背景ラスタライズ部５０３により背景を記述色でラスタライズし（ＳＴＥＰ６０１）、オブジェクトラスタライズ手段５０４によりオブジェクトを記述色でラスタライズする（ＳＴＥＰ６０２）。
【００５２】
印刷モード選択手段５００により、背景を印刷しないモードと判断されれば、ＲＧＢ差検出手段５０１により、文書で記述された背景色とオブジェクトのＲＧＢ値の差（ΔＲ，ΔＧ，ΔＢ）をコントラスト情報として計算する（ＳＴＥＰ６０３）。
【００５３】
色補正手段５０２により、背景を印刷しないので用紙の白地（２５５，２５５，２５５）とΔＲ、ΔＧ、ΔＢだけのＲＧＢ差となる（Ｒ１’，Ｇ１’，Ｂ１’）を計算し（ＳＴＥＰ６０４）、オブジェクトラスタライズ手段５０４によりオブジェクトを補正色（Ｒ１
’，Ｇ１’，Ｂ１’）でラスタライズする（ＳＴＥＰ６０５）。
【００５４】
このようにすることで、背景色を印刷しないモードでも、文書に記述されていたのと同様のコントラストの強さで、用紙とのコントラストが得られるので、文書の作成者の意図通りに文字の強弱を表現することが可能である。
【００５５】
例として背景、オブジェクトがともに無彩色の場合を説明する。背景が黒（Ｒ０，Ｇ０，Ｂ０）＝（０，０，０）でオブジェクト（Ｒ１，Ｇ１，Ｂ１）を黒から白へ変化させるとする。背景とオブジェクトのＲＧＢ値の差は、
ΔＲ  ＝  ｜Ｒ０−Ｒ１｜
ΔＧ  ＝  ｜Ｇ０−Ｇ１｜
ΔＢ  ＝  ｜Ｂ０−Ｂ１｜
である。背景を印刷しないとした場合に、白地（２５５，２５５，２５５）に対して（ΔＲ，ΔＧ，ΔＢ）だけ異なる（Ｒ１’，Ｇ１’，Ｂ１’）＝（２５５−ΔＲ，２５５−ΔＧ，２５５−ΔＢ）を求める。
【００５６】
以上の計算結果を図１４に示す。
【００５７】
次に、背景とオブジェクトが有彩色で同系統の色の場合の例であり、背景を青、オブジェクトを青系統の濃淡とした図を図１５に示す。例として背景を青（Ｒ，Ｇ，Ｂ）＝（０，０，２５５）、オブジェクトを青系統の濃淡とする。
【００５８】
同様に背景とオブジェクトが有彩色の場合で系統が異なる場合の例でり、背景を青、オブジェクトを赤系統の濃淡とした図を図１６に示す。例として背景を青（Ｒ，Ｇ，Ｂ）＝（０，０，２５５）、オブジェクトを赤系統の濃淡とする。
【００５９】
図１４から背景及びオブジェクトが無彩色の場合、背景を印刷したときのコントラストと、背景を印刷しないときのコントラストが一致していることがわかる。また図１５から、背景とオブジェクトが同系統色の場合には、色の系統を保ったままオブジェクトの濃淡のコントラストが一致していることがわかる。しかし図１６の背景とオブジェクトが系統が異なる色の場合には、オブジェクトの色の系統が変わってしまっている。
【００６０】
だが、印刷用紙とのコントラストを保ち見やすくするという目的は達成できている。このように本発明の実施の形態３に係る文書処理装置では、元々のオブジェクトと色の系統が異なってしまう場合があるものの、黒成分が増えないコントラストの補正が可能である。
【００６１】
（実施の形態４）
本発明の実施の形態４は、これまで実施の形態１から３で説明してきたようなオブジェクトの色補正を行なった結果のオブジェクト色が薄すぎる場合に印刷結果が判読できなくなることがあることの改善に関するものである。
【００６２】
特にドットの密度で濃淡を表現する印刷装置では、極端に薄い文字などではドットがまばらになり判読しづらくなるため、オブジェクトの色補正時に用紙の白地とオブジェクトの間のコントラストが一定値以下にならないように色補正を行なうものである。
【００６３】
本発明の実施の形態４の文書処理装置を図７に基づいて説明する。図７は、本発明の実施の形態における動作フローチャートである。
【００６４】
図７に示すように、例えば図２の実施の形態１の動作フローチャートの途中（ＳＴＥＰ
２０４とＳＴＥＰ２０５の間）にＳＴＥＰ７００の処理を挿入すればよい。
【００６５】
ＳＴＥＰ２０４で得られたオブジェクトの補正色がコントラスト低すぎである場合は、コントラストが高くなるように、色補正手段により補正を加える。この補正の仕方は特に方法にこだわらない。また補正前の輝度値が最高レベルの２５５の場合には補正を行なわないようにしてもよい。このような補正を行なうことで、極端に薄くなってしまう文字等のオブジェクトの印刷濃度を上げることができ可読性を向上させることが可能である。
【００６６】
（実施の形態５）
本発明の実施の形態５の文書処理装置では、背景を印刷しないモードでも、リンク先を示す文字に対しては例外的に補正処理を行なわないものである。これはホームページでしばしば見られるが、リンク先を示す文字は特に指定しない限り予約色（例えば青）で表わされることが一般的である。このため使用者は青文字を見るだけでリンク先があることを察知することができる。
【００６７】
また青文字は白地に対しても十分高いコントラストを持っており、補正を行なわなくても可読性は高いので問題はない。このように背景を印刷しない場合でもオブジェクトの色補正を行なわないで、青文字の持つ意味を保存した方が良い場合もある。
【００６８】
図８の本発明の実施の形態における動作フローチャートに示すように、例えば図２の実施の形態１の文書処理装置の動作フローチャートの途中（ＳＴＥＰ２００とＳＴＥＰ２０３の間）にＳＴＥＰ８００の処理を挿入すればよい。
【００６９】
背景を印刷しないモードのときに、対象となっているオブジェクトがリンク文字で青色ならばＳＴＥＰ２０２へ進み記述色（この場合青）でラスタライズし、そうでなければＳＴＥＰ２０３へ進み、オブジェクトの色補正を行なう。このようにすることで青文字の持つリンク文字であるという意味を保存することが可能である。
【００７０】
以上、本発明の実施の形態の文書処理装置について、これまでは文書で記述された色に対して、実施の形態の例について説明してきたが、前処理としてなんらかの色変換処理や色補正処理を行なった後の色情報に対して実施してもなんらかまわない。また、文書処理装置としては、コンピュータ装置と印刷装置の組み合わせでもかまわないし、文書処理機能を備えた印刷装置でもかまわない。
【実施例】
【００７１】
図９に本発明を実施した印刷装置における印刷結果の例を示す図を示す。例は背景、オブジェクトともに無彩色の場合である。
【００７２】
図９で（ａ）は背景を印刷するモードで、（ｂ）は本発明の実施の形態１〜３の文書処理装置で印刷を実施した「背景を印刷しないモード」の結果、（ｃ）は本発明の実施の形態４の文書処理装置で印刷を実施した「背景を印刷しないモード」の結果である。
【００７３】
図６から明らかなように本発明の実施の形態１から４の文書処理装置により印刷を実施することで、背景を印刷しないモードを選択しても、背景を印刷するモードと同様に、強調すべき文字は強調され、強調すべきでない文字は強調されていないことがわかる。
【産業上の利用可能性】
【００７４】
文書を印刷可能な文書処理装置として有用であり、特に、インターネットなどのホームページを印刷する際に、元々のホームページが意図していたデザインを保持しつつ、インクやトナーの節約、印刷速度の向上、にじみ防止、乾燥性の向上、用紙うねりを防止する
のに適している。
【図面の簡単な説明】
【００７５】
【図１】本発明の実施の形態における文書処理装置のブロック図
【図２】本発明の実施の形態における動作フローチャート
【図３】本発明の実施の形態における文書処理装置のブロック図
【図４】本発明の実施の形態における動作フローチャート
【図５】本発明の実施の形態における文書処理装置のブロック図
【図６】本発明の実施の形態における動作フローチャート
【図７】本発明の実施の形態における動作フローチャート
【図８】本発明の実施の形態における動作フローチャート
【図９】本発明を実施した印刷装置における印刷結果の例を示す図
【図１０】従来の印刷装置における印刷結果の例を示す図
【図１１】白地との輝度差ΔＹ’を求めた表を示す図
【図１２】背景とオブジェクトが有彩色で同系統の色の場合の例であり、背景を青、オブジェクトを青色系統の濃淡とした図
【図１３】背景とオブジェクトが有彩色の場合で系統が異なる場合の例であり、背景を青、オブジェクトを赤系統の濃淡とした図
【図１４】背景を印刷しないとした場合に、白地に対して（ΔＲ，ΔＧ，ΔＢ）だけ異なる（Ｒ１’，Ｇ１’，Ｂ１’）を求めた図
【図１５】背景とオブジェクトが有彩色で同系統の色の場合の例であり、背景を青、オブジェクトを青系統の濃淡とした図
【図１６】背景とオブジェクトが有彩色の場合で系統が異なる場合の例でり、背景を青、オブジェクトを赤系統の濃淡とした図
【符号の説明】
【００７６】
１００    印刷モード選択手段
１０１    コントラスト検出手段
１０２    色補正手段
１０３    背景ラスタライズ手段
１０４    オブジェクトラスタライズ手段
３００    印刷モード選択手段
３０１    背景色輝度検出手段
３０２    ＲＧＢ−ＹＣｂＣｒ色変換手段
３０３    輝度差検出手段
３０４    輝度補正手段
３０５    ＹＣｂＣｒ−ＲＧＢ色変換手段
３０６    背景ラスタライズ手段
３０７    オブジェクトラスタライズ手段
５００    印刷モード選択手段
５０１    ＲＧＢ差検出手段
５０２    色補正手段
５０３    背景ラスタライズ手段
５０４    オブジェクトラスタライズ手段
【図１】
2005092317.tif 000003
【図２】
2005092317.tif 000004
【図３】
2005092317.tif 000005
【図４】
2005092317.tif 000006
【図５】
2005092317.tif 000007
【図６】
2005092317.tif 000008
【図７】
2005092317.tif 000009
【図８】
2005092317.tif 000010
【図９】
2005092317.tif 000011
【図１０】
2005092317.tif 000012
【図１１】
2005092317.tif 000013
【図１２】
2005092317.tif 000014
【図１３】
2005092317.tif 000015
【図１４】
2005092317.tif 000016
【図１５】
2005092317.tif 000017
【図１６】
2005092317.tif 000018